(57)【要約】【課題】  タッチパネルを操作する指が邪魔にならない位置にガイダンスを表示する。【解決手段】  タッチ検出部１０３は、タッチパネル１０１に対する指１１０のタッチ操作を検出し、各タッチセンサ１０２の発生容量をマイコン１０４に通知する。座標算出部１０５はタッチ位置の座標を算出し、指方向検出部１０６は、指１１０の方向を検出する。マイコン１０４は、タッチ位置と指の方向から指１１０で邪魔されないガイダンス表示位置を決定し、表示制御部１０７を介してディスプレイ１０８の表示画面上のそのガイダンス表示位置にガイダンスを表示させる。【選択図】  図１
2016218642.tif 000002
【特許請求の範囲】
【請求項１】
表示手段の表示画面に重ねて配置されるタッチパネルに対する操作子の操作位置を検出するタッチ検出手段と、
前記操作子の前記タッチパネルに対する向きを判定する方向検出手段と、
前記操作子による所定の操作に応じて、前記表示画面の、前記操作子により隠ぺいされない位置にガイダンスを表示するように前記表示手段を制御する制御手段
とを有することを特徴とする表示制御装置。
【請求項２】
前記制御手段は、前記タッチパネルに対する操作位置と操作子の向きに応じたガイダンス表示位置を規定するテーブルを具備し、前記タッチパネルに対する前記操作子の操作位置と、前記方向検出手段で検出される前記向きとを前記テーブルに照合して、前記ガイダンスの前記表示画面上での表示位置を決定することを特徴とする請求項１に記載の表示制御装置。
【請求項３】
前記制御手段は、前記操作子の前記タッチパネルに対するホバー状態で前記ガイダンスを前記表示手段に表示させ、前記タッチパネルに対するタッチに応じて、タッチ位置に応じた動作を実行することを特徴とする請求項１または２に記載の表示制御装置。
【請求項４】
前記制御手段は、前記操作子による前記タッチパネルに対する所定操作に応じて、前記ガイダンスを前記表示手段に表示させることを特徴とする請求項１から３のいずれか１項に記載の表示制御装置。
【請求項５】
前記所定操作が、前記タッチパネルに対する前記操作子の一定時間以上のタッチであることを特徴とする請求項４に記載の表示制御装置。
【請求項６】
前記所定操作が、前記タッチパネルに対する前記操作子のタッチに至らない接近であることを特徴とする請求項４に記載の表示制御装置。
【請求項７】
前記制御手段は、前記タッチパネルに対する前記操作子のタッチに至らない接近からタッチに至までの時間に応じて、前記タッチに対して前記表示画面に表示する内容を異ならせることを特徴とする請求項１から６のいずれか１項に記載の表示制御装置。
【請求項８】
前記タッチパネルは静電容量式タッチパネルであることを特徴とする請求項１から７のいずれか１項に記載の表示制御装置。
【請求項９】
前記操作子がユーザの指及びスタイラスペンのいずれかであることを特徴とする請求項１から８のいずれか１項に記載の表示制御装置。
【請求項１０】
表示手段によるガイダンスの表示を制御する表示制御方法であって、
前記表示手段の表示画面に重ねて配置されるタッチパネルに対する操作子の操作位置を検出するタッチ検出ステップと、
前記操作子の前記タッチパネルに対する進入向きを判定する方向検出ステップと、
前記操作子による所定の操作に応じて、前記表示画面の、前記操作子により隠ぺいされない位置にガイダンスを表示するように前記表示手段を制御する制御ステップ
とを有することを特徴とする表示制御方法。
【発明の詳細な説明】
【技術分野】
【０００１】
本発明は、タッチパネルを有する画像表示装置の表示を制御する表示制御装置及び方法に関する。
【背景技術】
【０００２】
近年、注目されている入力装置の一つにタッチパネルがある。タッチパネルを使うことにより、入力対象と操作対象の一致による直感的な操作が可能となり、ユーザにより簡単に操作環境を提供できる。
【０００３】
タッチパネルを備えた情報機器において、タッチパネル上を一定時間タッチすることで、選択部分の機能ガイダンスやサブメニューを簡単に表示させる技術が知られている。例えば、特許文献１には、ユーザが所定の期間タッチパネルにタッチすると、特定機能の使用方法についてのガイダンスを示す入力制御装置が開示されている。
【先行技術文献】
【特許文献】
【０００４】
【特許文献１】米国特許第５９１０８００号公報
【発明の概要】
【発明が解決しようとする課題】
【０００５】
特許文献１に開示された従来技術では、図１３に示すように、ガイダンス表示が指の向きと重なってしまうと、ガイダンスがユーザに見えにくくなる。
【０００６】
本発明は、タッチパネルを有する電子機器においてこのような不都合を解消する表示制御装置及び方法を提示することを目的とする。
【課題を解決するための手段】
【０００７】
上記目的を達成するために、本発明に係る表示制御装置は、表示手段の表示画面に重ねて配置されるタッチパネルに対する操作子の操作位置を検出するタッチ検出手段と、前記操作子の前記タッチパネルに対する進入向きを判定する方向検出手段と、前記操作子による所定の操作に応じて、前記表示画面の、前記操作子により隠ぺいされない位置にガイダンスを表示するように前記表示手段を制御する制御手段とを有することを特徴とする。
【発明の効果】
【０００８】
本発明によれば、タッチパネルを操作する操作子で邪魔されない位置にガイダンスを表示するので、ガイダンスが見やすくなる。
【図面の簡単な説明】
【０００９】
【図１】本発明の一実施例の概略構成ブロック図である。
【図２】図１に示す実施例の表示制御処理のフローチャートである。
【図３】本実施例におけるタッチ例を示す説明図である。
【図４】表示画面のエリア分割例である。
【図５Ａ】指が右から進入する場合のタッチ位置の属するエリアとガイダンス表示位置との関係を示す説明図である。
【図５Ｂ】指が左から進入する場合のタッチ位置の属するエリアとガイダンス表示位置との関係を示す説明図である。
【図５Ｃ】指が下から進入する場合のタッチ位置の属するエリアとガイダンス表示位置との関係を示す説明図である。
【図５Ｄ】指が上から進入する場合のタッチ位置の属するエリアとガイダンス表示位置との関係を示す説明図である。
【図６】本実施例におけるガイダンス表示例である。
【図７】本発明の実施例２の概略構成ブロック図である。
【図８】図７に示す実施例における表示制御処理のフローチャートである。
【図９】図１に示す実施例の別の表示制御処理のフローチャートである。
【図１０】図９に示す表示制御処理でのタッチ検出閾値及びホバー検出閾値の説明図である。
【図１１】図７に示す実施例の別の表示制御処理のフローチャートである。
【図１２】図１１に示す表示制御処理における画面遷移例を示す説明図である。
【図１３】従来例におけるガイダンス表示例である。
【発明を実施するための形態】
【００１０】
以下、図面を参照して、本発明の実施例を詳細に説明する。
【実施例１】
【００１１】
図１は、本発明の一実施例を実装したタッチパネル付き表示装置１００の概略構成ブロック図を示す。タッチパネル付き表示装置１００は、静電容量式タッチパネル１０１、タッチ検出部１０３、マイクロコンピュータ（マイコン）１０４、表示制御部１０７及びディスプレイ１０８からなる。
【００１２】
タッチパネル１０１はディスプレイ１０８の表示画面に重ねて配置され、位置の指示、選択及び決定等の操作入力に使用される。タッチパネル１０１は、図１に模式的に図示すように、二次的に配置される複数のタッチセンサ１０２を具備する。タッチセンサ１０２は、指１１０（スタイラスペンなどの導電体でもよい）の、所定距離以内の接近を含むタッチ操作により指１１０との間に容量１１１を発生させる。個々のタッチセンサ１０２の容量を計測することで、タッチパネル１０１に対するタッチ操作の二次元位置を検出できる。
【００１３】
タッチ検出部１０３は、タッチセンサ１０２で発生した容量１１１に対し、指１１０の接近の程度及びタッチ操作の有無を検出する。任意の閾値１１２を設定することで、検出感度を設定できる。
【００１４】
マイコン１０４は、その機能として座標算出部１０５と指方向検出部１０６を有する。座標算出部１０５は、タッチ検出部１０３でタッチと判定された時のタッチセンサ１０２における発生容量の重心１１３をＸ軸とＹ軸で算出し、算出された重心１１３のＸ位置及びＹ位置をそれぞれタッチ位置のＸ座標及びＹ座標とする。算出された重心１１３がユーザのタッチ位置、即ち操作位置に相当する。マイコン１０４は操作位置に応じた動作（タッチ位置に表示される要素に応じた画面への遷移を含む）を実行する。指方向検出部１０６は、タッチ検出部１０３でタッチと判定された時のタッチセンサ１０２における発生容量を基にタッチ時にタッチパネル１０１のパネル面（操作面）に対して指１１０がどの方向から進入しているかを判定する。
【００１５】
表示制御部１０７は、座標算出部１０５で算出されたタッチ位置座標と、指方向検出部１０６で特定した指の進入方向に応じて、ディスプレイ１０８の表示を制御する。ディスプレイ１０８は、表示制御部１０７によって制御された画像を表示する。
【００１６】
本実施例では、指１１０の進入方向と位置座標に従い、指１１０の進入向きでない方向に指の位置に応じたレイアウトでガイダンスを表示する。図２は、ガイダンス表示制御の動作フローチャートを示す。図３（ａ），（ｂ）は、本実施例のガイダンス表示制御動作の説明例を示す。図４はエリア分割例を示す。図５Ａ〜図５Ｄは指１１０の向きにとタッチ位置に応じたガイダンス表示位置をルックアップするテーブルの模式図を示し、図６はガイダンス表示例を表す。
【００１７】
ステップＳ２０１では、タッチ検出部１０３が、タッチパネル１０１に指１１０がタッチしたかどうかを判定する。タッチ検出部１０３は、タッチセンサ１０２で発生した容量１１１が閾値１１２より大きければ、タッチありと判定する。タッチがあるとステップＳ２０２に進み、タッチがなければ、ステップＳ２０１を繰り返す。
【００１８】
ステップＳ２０２で、マイコン１０４の座標算出部１０５が、タッチ時に最も発生容量の大きいタッチセンサ１０２を特定し、タッチ位置のＸＹ座標を算出する。例えば、座標算出部１０５は、タッチ検出部１０３からの各タッチセンサ１０２の発生容量の重心１１３を算出し、タッチ位置とする。具体的には、タッチ時におけるセンサ部１０２の発生容量ｃ１，ｃ２，・・・ｃｍ（ｍ：一軸上のタッチセンサ数）に対し重みｐ１，ｐ２，・・・、ｐｍを設定する。そして、重心１１３の位置を、下記式（１）に従い、
（ｃ１ｐ１＋ｃ２ｐ２＋・・・＋ｃｍｐｍ）／（ｃ１＋ｃ２＋・・・＋ｃｍ）    （１）
計算する。
【００１９】
ステップＳ２０３で、マイコン１０４は、ステップＳ２０２で特定したタッチ位置が、タッチパネル１０１のセンサ領域を予め分割した３×３の９つのエリアＡ〜Ｉ（図４参照）のどこに当たるかを特定する。図３（ａ）に示すタッチの場合、タッチ位置は図４（ａ）に示すようにエリアＨとなり、図３（ｂ）に示すタッチの場合、タッチ位置は図４（ｂ）に示すようにエリアＥとなる。
【００２０】
ステップＳ２０４で、指方向検出部１０６は、ステップＳ２０２で特定したタッチ位置の周囲のタッチセンサ１０２の発生容量から指１１０の進入方向を特定する。図１に示すように、指の進入方向には指先以外の部分によって容量が発生しているので、周囲の発生容量から指の進入方向を特定できる。図３（ａ）に示すようなタッチの場合、指の進入方向は下となり、図３（ｂ）に示すようなタッチの場合、指の進入方向は右となる。ここでの演算により、指１１０がディスプレイ１０８のどの画面部分を隠ぺいしているかが判明するので、ガイダンスが指１１０により隠ぺいされないようにその表示位置を制御することが可能となる。
【００２１】
ステップＳ２０５で、マイコン１０４は、ステップＳ２０４で特定した指の向きを判定し、指の向きに応じてガイダンス表示位置決定処理（Ｓ２０６〜Ｓ２０９）を選択する。図２に示すフローでは、右方向の場合、ステップＳ２０６に進み、左方向の場合ステップＳ２０７に進み、下方向の場合、ステップＳ２０８に進み、上方向の場合、ステップＳ２０９に進む。図３（ａ）に示すタッチの場合、下方向なので、マイコン１０４は、ステップＳ２０８に進む。また、図３（ｂ）に示すタッチの場合、右方向なので、マイコン１０４はステップＳ２０６に進む。
【００２２】
図５Ａ、図５Ｂ、図５Ｃ及び図５ＤはそれぞれステップＳ２０６〜Ｓ２０９におけるガイダンス表示位置を規定するルックアップテーブルの内容例である。図５Ａ〜図５Ｄに示す内容のルックアップテーブルがマイコン１０４の内蔵メモリに格納されている。マイコン１０４は、タッチ位置と指の向きをこのテーブルと照合して、表示画面上でのガイダンスの表示位置を決定する。図５Ａ〜図５Ｄはタッチ位置が属するエリアごとに、当該エリアのどの方向にガイダンスを表示すべきかを示している。各エリアの「上側」、「下側」、「右側」及び「左側」が、タッチ位置が属するエリアに対してガイダンス表示位置の方向を示す。
【００２３】
指が右方向から進入した場合（ステップＳ２０６、図５Ａ）、基本的に、タッチ位置が属するエリアの左側（指１１０の先）にガイダンスを表示する。左側に余裕が無い場合に、上側又は下側にガイダンスを表示する。例えば、図３（ｂ）に示すタッチの場合、タッチ位置がエリアＥになるので、ガイダンスの表示位置を、タッチエリアＥの左側（エリアＤに相当する。）に決定する。
【００２４】
指が左方向から進入した場合（ステップＳ２０７、図５Ｂ）、基本的に、タッチ位置が属するエリアの右側（指１１０の先）にガイダンスを表示する。右側に余裕が無い場合に、上側又は下側にガイダンスを表示する。
【００２５】
指が下方向から進入した場合（ステップＳ２０８，図５Ｃ）、基本的に、タッチ位置が属するエリアの上側（指１１０の先）にガイダンスを表示する。上側に余裕が無い場合に、右側又は左側にガイダンスを表示する。例えば、図３（ａ）に示すタッチの場合、タッチ位置がエリアＨになるので、ガイダンスの表示位置を、タッチエリアＨの上側（エリアＥに相当する。）に決定する。
【００２６】
指が上方向から進入した場合（ステップＳ２０９，図５Ｄ）、基本的に、タッチ位置が属するエリアの下側（指１１０の先）にガイダンスを表示する。下側に余裕が無い場合に、右側又は左側にガイダンスを表示する。
【００２７】
ステップＳ２１０で、マイコン１０４は、ステップＳ２０６〜Ｓ２０９で決定したガイダンス表示位置を表示制御部１０７に通知する。表示制御部１０７は、マイコン１０４から通知されたガイダンス表示位置にガイダンスを表示するようにディスプレイ１０８を制御する。図６（ａ）は、図３（ａ）に示すタッチの場合のガイダンス表示例を示し、図６（ｂ）は、図３（ｂ）に示すタッチの場合のガイダンス表示例を示す。図６に示すように、タッチ位置の属するエリアに隣接するエリアでなく、さらにその先のエリアにガイダンスを表示しても良い。これは、ユーザが視認したい表示要素が存在し、その表示要素をガイダンスで隠ぺいしたくない場合に有益である。
【００２８】
ステップＳ２１１では、マイコン１０４は、指１１０がタッチパネル１０１から離れる（タッチアウト）のを待機する。タッチアウトしたら、ステップＳ２１２で、マイコン１０４は、タッチされた表示要素が選択されたものと判断し、その表示要素に応じた動作を実行する。画面の切替えが必要な場合には、マイコン１０４は表示制御部１０７を介してディスプレイ１０８の画面を切り替える。タッチアウトしていないならばステップＳ２１１を繰り返す。
【００２９】
図２に示すガイダンス表示位置制御により、タッチパネル１０１を操作する指等で隠ぺいされない位置にガイダンスを表示するので、ユーザに見やすいガイダンスを提供できる。
【００３０】
タッチパネル１０１を静電容量式タッチパネルとしたが、必ずしも静電容量式である必要はなく、電磁誘導式など、別方式のタッチパネルであってもよい。タッチパネルを操作するツールを指としたが、スタイラスペン等の操作子であってもよい。電磁誘導式やスタイラスペンによる構成とすることで、ペンタブレット等の機器での使用が可能である。
【００３１】
タッチパネル１０１のセンサ領域を３×３の９つのエリアに大きく区分しているが、より細かい区分にしてもよい。また、センサ領域のアスペクト比によっては、上下左右の分割を同数にしなくても良い。
【００３２】
重心算出は、上述した式に限定されない。例えば、最大容量のタッチセンサを含む周囲の諸定数のタッチセンサの発生容量からタッチ位置を推測する演算式を採用してもよい。
【実施例２】
【００３３】
タッチパネルに指がタッチした後、所定時間移動せずにタッチ状態が維持された場合に、指で隠ぺいされない箇所にガイダンスを表示する実施例２を説明する。いわゆる長押し操作が、ここでは、マイコン１０４にガイダンスの表示を指示する所定操作に相当する。
【００３４】
図７は、本発明の実施例２の概略構成ブロック図を示す。要素７０１〜７０３，７０５〜７０８、７１０は、それぞれ、図１に示す実施例の要素１０１〜１０３，１０５〜１０８、１１０と対応し、同様に機能するので、詳細な説明を省略する。マイコン７０４は、マイコン１０４にタイマ７０９を追加し、タッチ時間を計測できるようした構成からなる。タイマ７０９は、タッチパネル７０１に対するタッチ状態の継続時間を計測するカウンタである。７１１は各タッチセンサ７０２で発生する容量を示し、７１２はタッチ検出閾値を示し、７１３は、軸方向の発生容量の分布を示す。
【００３５】
図８は、図７に示す実施例のガイダンス表示位置制御の動作フローチャートを示す。図８のステップＳ８０１、ステップＳ８０５〜ステップＳ８１４は、それぞれ、図２のステップＳ２０１〜ステップＳ２１１と同様のため、説明を省略する。
【００３６】
ステップＳ８０１でタッチ検出部７０３がタッチパネル７０１に対するタッチを検出すると、ステップＳ８０２でマイコン７０４のタイマ７０９が、タッチ時間のカウントをスタートする。ステップＳ８０３で、マイコン７０４は、タイマ７０９で計測されるタッチ時間のカウント値が設定値以上となるのを待機する。設定値以上になると、ステップＳ８０４で、マイコン７０４は、タッチ時間計測の前後で選択位置が変わっているか否かを判定し、変わっていない場合はステップＳ８０５に進み、変わっている場合は、ステップＳ８０２に戻る。
【００３７】
ステップＳ８０５以降の処理は、図２のステップＳ２０２以降と同じなので、説明を省略する。
【００３８】
この実施例２では、タッチパネルに対するタッチが検出された後に、指が所定時間移動せずにいる場合に、ガイダンスを表示する。いわゆる長押し操作によるガイダンス表示になっている。実施例２でも、ガイダンスの表示位置は、指の先又は横に決定されるので、表示されるガイダンスが指により隠ぺいされることが無い。
【実施例３】
【００３９】
図１に示す実施例において、タッチパネル１０１へのタッチに至らない程度に指が接近したとき（「ホバー」又は「ホバー状態」という）、ガイダンスを表示するようにしてもよい。ホバー状態に相当するタッチパネル１０１への接近が、マイコン１０４へのガイダンス表示を指示する所定操作に相当する。マイコン１０４は、ホバー状態で、同様の処理によりガイダンスの表示位置を決定してガイダンスを表示し、タッチ状態に至ると、タッチした要素に応じた動作を実現する。
【００４０】
図９は、このような動作を実現する動作フローチャートを示す。図１０は、ホバー検出及びタッチ検出の閾値とホバー状態でのタッチセンサ１０２の発生容量の模式図を示す。マイコン１０４は、タッチ検出部１０３にタッチ検出閾値１１２（ＴＨ１）に加えて、ホバー検出閾値１２０（ＴＨ２）を設定する。ホバー検出閾値１２０は、タッチパネル１０１に対してタッチに至らない程度に近接したホバー状態を検知する閾値であり、タッチセンサ１０２の発生容量との比較ではタッチ検出閾値１１２よりも低い値を有する。タッチ検出部１０３は、いずれかのタッチセンサ１０２の発生容量がホバー検出閾値１２０を超えると、ホバー状態をマイコン１０４に通知し、タッチ検出閾値１１２を超えるとタッチ状態をマイコン１０４に通知する。タッチセンサ１０２に対して指１１０が高さ１２２よりも近づくと、タッチ検出部１０３はホバー状態と認識する。
【００４１】
図９のステップＳ９０３〜Ｓ９１０は、それぞれ図２のステップＳ２０３〜ステップＳ２１０と同じ処理になるので、説明を省略する。
【００４２】
ステップＳ９０１で、タッチ検出部１０３は、いずれかのタッチセンサ１０２の発生容量がホバー検出閾値１２０（ＴＨ２）以上となるのを待機する。いずれかのタッチセンサ１０２の発生容量が閾値１２０（ＴＨ２）以上となると、タッチ検出部１０３は、ホバー状態検出をマイコン１０４に通知する。
【００４３】
ステップＳ９０２で、マイコン１０４は、再大発生容量のタッチセンサ１０２の位置から指先のホバー位置を決定する。このとき、マイコン１０４は、ステップＳ２０２でタッチ位置を決定したのと同様の演算方法を採用できる。
【００４４】
ステップＳ９０３〜Ｓ９１０で、マイコン１０４はホバーの位置と指の進入方向に応じて、ガイダンス表示位置を決定し、ガイダンスを表示する。
【００４５】
ステップＳ９１１で、タッチ検出部１０３は、いずれかのタッチセンサ１０２の発生容量がタッチ検出閾値１１２（ＴＨ１）以上となるのを待機する。いずれかのタッチセンサ１０２の発生容量がタッチ検出閾値１１２（ＴＨ１）以上になると、ステップＳ９１２で、マイコン１０４は、タッチ位置のボタンに対応する画面に遷移する。
【００４６】
この実施例３では、タッチパネルに対して指が一定距離以内に接近することでガイダンスを表示する。ガイダンスの表示位置は、指の先又は横に決定されるので、表示されるガイダンスが指により隠ぺいされることが無い。
【実施例４】
【００４７】
図７に示す構成において、ホバー状態を検知してからタッチ状態を検知するまでの経過時間によってタッチ操作に対する遷移先画面を変更する機能を追加した実施例を説明する。図１１は、その動作フローチャートを示し、図１２は画面遷移の説明例を示す。
【００４８】
図１２は、ホバー検出及びタッチ検出の閾値とホバー状態でのタッチセンサ１０２の発生容量と表示画面の模式図を示す。図１２（ａ）はホバー状態からタッチまでの時間が３秒であった場合を示し、図１２（ｂ）は１秒であった場合を示す。マイコン７０４は、タッチ検出部７０３にタッチ検出閾値７１２（ＴＨ１）に加えて、ホバー検出閾値７２０（ＴＨ２）を設定する。ホバー検出閾値７２０は、タッチパネル７０１に対してタッチに至らない程度に近接したホバー状態を検知する閾値であり、タッチセンサ７０２の発生容量との比較ではタッチ検出閾値７１２よりも低い値を有する。タッチ検出部７０３は、いずれかのタッチセンサ７０２の発生容量がホバー検出閾値７２０を超えると、ホバー状態検出をマイコン７０４に通知し、タッチ検出閾値７１２を超えるとタッチ状態検出をマイコン７０４に通知する。タッチセンサ７０２に対して指７１０が高さ７２２よりも近づくと、タッチ検出部７０３はホバー状態と検出ないし認識する。
【００４９】
図１１のステップＳ１１０１、Ｓ１１０３〜Ｓ１１１２はそれぞれ、図９のステップＳ９０１〜ステップＳ９１１と同様の処理であるので、詳細な説明を省略する。
【００５０】
ステップＳ１１０１で、タッチ検出部７０３は、いずれかのタッチセンサ７０２の発生容量がホバー検出閾値７２０（ＴＨ２）以上となるのを待機する。いずれかのタッチセンサ７０２の発生容量がホバー検出閾値７２０（ＴＨ２）以上となると、タッチ検出部７０３は、ホバー状態検出をマイコン７０４に通知し、マイコン７０４は、ステップＳ１１０２でタイマ７０９による時間計測を開始する。
【００５１】
ステップＳ１１０３〜Ｓ１１１１で、マイコン１０４は、指先のホバー位置を決定し、ホバーの位置と指の進入方向に応じて、ガイダンス表示位置を決定し、ガイダンスを表示する。
【００５２】
ステップＳ１１１２で、タッチ検出部７０３は、いずれかのタッチセンサ７０２の発生容量がタッチ検出閾値７１２（ＴＨ１）以上となるのを待機する。タッチが検出されると、ステップＳ１１１３で、マイコン７０４は、タイマ７０９のカウントを停止し、カウント値（ホバー状態が検出されてからタッチになるまでの時間）が一定時間以上かどうかを判定する。ここでの一定時間は例えば、２秒である。
【００５３】
タイマ７０９のカウント値が一定時間以上である場合（Ｓ１１１３）、ステップＳ１１１４で、マイコン７０４は、表示制御部７０７を介して、分かりやすさ重視の対応画面（図１２（ａ）参照）をディスプレイ７０８に表示させる。他方、タイマ７０９のカウント値が一定時間未満である場合（Ｓ１１１３）、ステップＳ１１１５で、マイコン７０４は、表示制御部７０７を介して、機能性重視の対応画面（図１２（ｂ）参照）をディスプレイ７０８に表示させる。
【００５４】
ホバー状態からタッチ状態までの時間が長い場合、初心者ユーザと推測できるので、分かり易さ重視の対応画面を採用する。ホバー状態からタッチ状態までの時間が短い場合、上級ユーザと推測できるので、機能性重視の対応画面を採用する。このように、ホバー状態を検知してからタッチ状態を検知するまでの経過時間によって遷移先画面を変更することにより、ユーザの習熟度に応じた使いやすい画面構成を実現できる。
【００５５】
以上、本発明の好ましい実施例を説明したが、本発明はこれらの実施例に限定されず、その要旨の範囲内で種々の変形及び変更が可能である。
【００５６】
例えば、タッチパネルとして静電容量式タッチパネルを例示したが、必ずしも静電容量式である必要はなく、電磁誘導式など、別方式のタッチパネルで構成することとしてもよい。また、タッチパネルを操作するツールを指としたが、スタイラスペン等の操作子であってもよい。電磁誘導式やスタイラスペンによる構成とすることで、ペンタブレットでの使用が可能である。
【００５７】
ステップＳ２０３では、画面分割数を３×３の９つとしているが、より細かい分割又はより粗い分割でもよい。重心算出式として式（１）は一例であり、他の計算式を採用しても良い。また、発生容量が最大になるタッチセンサの周囲の限定された数のタッチセンサの発生容量からタッチ位置を計算しても良い。
【００５８】
以上、本発明の好ましい実施例を説明したが、本発明は、これらの実施例に限定されず、その要旨の範囲内で種々の変形及び変更が可能である。
【図１】
2016218642.tif 000003
【図２】
2016218642.tif 000004
【図３】
2016218642.tif 000005
【図４】
2016218642.tif 000006
【図５Ａ】
2016218642.tif 000007
【図５Ｂ】
2016218642.tif 000008
【図５Ｃ】
2016218642.tif 000009
【図５Ｄ】
2016218642.tif 000010
【図６】
2016218642.tif 000011
【図７】
2016218642.tif 000012
【図８】
2016218642.tif 000013
【図９】
2016218642.tif 000014
【図１０】
2016218642.tif 000015
【図１１】
2016218642.tif 000016
【図１２】
2016218642.tif 000017
【図１３】
2016218642.tif 000018